(57)【要約】      （修正有）【課題】構造が簡単で、工事期間の短縮、施工性の向上、及び施工コストの削減を図ることができる緑化用板状部材を提供する。【解決手段】壁部を形成するための板状体１３と、板状体の表面に互いに間隔を隔てて略平行して設けられた２以上のリブとを備え、互いに隣合うリブとリブとの間の空間が、植物１５を保持する緑化部材１７を配置するための緑化用空間１６として形成され、リブが緑化部材を保持する。【選択図】図２
0003199042.tif 000002
【実用新案登録請求の範囲】
【請求項１】
壁部を形成するための板状体と、この板状体の表面に互いに間隔を隔てて略平行して設けられた２以上のリブとを備え、
互いに隣合う前記リブと前記リブとの間の空間が、自然の植物又は人工の植物を配置するための緑化用空間として形成され、
前記リブが前記板状体と一体に押出成形によって形成され、
前記板状体には、その押し出し方向に平行して中空部が形成され、
前記リブは、前記リブが略水平方向に延びるように、前記緑化用板状部材が配置された状態で、前記リブの上面となる側の上向き保持面を形成する第１の板状部と、前記リブの下面となる側の下向き保持面を形成する第２の板状部と、前記第１の板状部と前記第２の板状部との間に形成された中空部とを有し、
前記リブの先端部には、前記緑化用空間に配置される前記植物が、前記緑化用空間から離脱することを防止するための突起部が設けられている、ことを特徴とする緑化用板状部材。
【請求項２】
前記板状体は、少なくとも前記リブの形成箇所に対応する位置に前記中空部を有し、
前記第１の板状部及び前記第２の板状部は、前記板状体における前記中空部の上面及び下面をそれぞれ形成するように、前記板状体内部に延出されていることを特徴とする請求項１記載の緑化用板状部材。
【請求項３】
前記緑化用空間は、前記植物を保持するための緑化部材が装着されるように形成されていることを特徴とする請求項１又は２記載の緑化用板状部材。
【請求項４】
前記２以上のリブの先端部を覆う状態で跨るように、前記緑化用板状部材に取り付けられ、前記緑化用空間に配置される前記植物が、前記リブ間に形成された前記緑化用空間から離脱することを防止するための離脱防止具を備えることを特徴とする請求項１乃至３のいずれかに記載の緑化用板状部材。
【請求項５】
前記緑化用板状部材の表面のうち、少なくとも前記緑化用空間を形成する内面に、防水処理を施したことを特徴とする請求項１乃至４のいずれかに記載の緑化用板状部材。
【請求項６】
前記板状体が、押出成形セメント板であることを特徴とする請求項１乃至５のいずれかに記載の緑化用板状部材。
【請求項７】
前記板状体が、金属製又は合成樹脂製であることを特徴とする請求項１乃至６のいずれかに記載の緑化用板状部材。
【請求項８】
前記緑化用空間に、前記緑化用空間に配置される前記植物が装着されていることを特徴とする請求項１乃至７のいずれかに記載の緑化用板状部材。
【請求項９】
前記板状体は、建物、土木構造物、若しくは塀の壁部、又は屋根を形成するために使用されるものであることを特徴とする請求項１乃至８のいずれかに記載の緑化用板状部材。
【請求項１０】
前記緑化用板状部材は、前記リブが略水平方向に延びるように、配置され、
前記上向き保持面が、前記リブの先端部に向かうに従って下り勾配となるように形成され、
前記上向き保持面であって、前記リブの先端部側の部分に、前記リブの長さ方向と略平行して形成された溝部と、
前記リブの先端部の上面となる側に設けられた前記突起部の上縁部に形成された切欠き部とを備えることを特徴とする請求項１乃至９のいずれかに記載の緑化用板状部材。
【請求項１１】
前記リブの前記緑化用空間を形成する保持面には、前記緑化用空間に配置される前記植物が、前記リブの先端部側に向かって当該リブから滑り落ちることを防止するための滑り止め凸部が設けられていることを特徴とする請求項１乃至１０のいずれかに記載の緑化用板状部材。
【請求項１２】
請求項１乃至１１のいずれかに記載の緑化用板状部材を備えることを特徴とする壁面等の緑化構造。
【請求項１３】
前記緑化用空間に、灌水用パイプを設けたことを特徴とする請求項１２記載の壁面等の緑化構造。
【請求項１４】
請求項１乃至９のいずれかに記載の緑化用板状部材を備え、
前記緑化用板状部材の前記リブの延びる方向を略縦方向に配置して、前記緑化空間に蔓系の前記植物を配置できるようにしたことを特徴とする壁面等の緑化構造。
【考案の詳細な説明】
【技術分野】
【０００１】
本考案は、例えば建物、土木構造物、又は塀の壁部や、屋根を形成することができるものであって、表面に設けられたリブによって自然の植物又は人工の植物を保持できるようにした緑化用板状部材、及びこれを備える壁面等の緑化構造に関する。
【背景技術】
【０００２】
近年、建物が集中する都市部において、産業活動に伴う排出熱や、太陽熱に基づいて起こるヒートアイランド現象によって、気温が上昇するという問題がある。このヒートアイランド現象による温度上昇を低減するためには、都市部の緑化を実施することが有効であるとされているが、都市部においては、緑化を実施するための公園等の面積が限られており、新たに緑化を実施することが困難な状況となっている。
【０００３】
このため、都市部では、建物の屋上や壁面に対して緑化（壁面緑化）を実施することで、ヒートアイランド現象を緩和することができると共に、緑化の実施によって、建物の屋上や壁面を形成する壁部の断熱効果も得られる。そこで、環境負荷の低減を目的として、建物に対する緑化が多く実施されるようになってきている。
【０００４】
従来の壁面緑化の実施に使用されるパネルの一例として、生態系育成用パネルがある（例えば、特許文献１参照。）。この生態系育成用パネルは、中空パネル基材を有し、この中空パネル基材の中空部には、吸水機能及び保水機能を有する詰物が充填されている。そして、中空パネル基材の表面には、表面化粧材が設けられている。更に、この中空部を大気に連通させるための孔が、パネル基材の表面側部及び表面化粧材に設けられ、これによって、表面化粧材を含むパネルの表面に水分を補給できるようにしてある。また、表面化粧材の表面には、例えば予め苔の胞子が植え付けられている。
【０００５】
このように構成された生態系育成用パネルによると、苔が早期にこの生態系育成用パネルの表面を覆うように成長させることができる。
【０００６】
また、従来の壁面緑化の実施に使用される他の例として、外装仕上材の取付構造がある（例えば、特許文献２参照。）。この外装仕上材の取付構造は、押出成形セメント板と、この押出成形セメント板の表面に形成された凸条と、この凸条に係合して取り付けられ、押出成形セメント板と間隔を隔てて平行に配置された板状のアタッチメントと、このアタッチメントの外表面に取り付けられた外装仕上材とを備えるものがある。
【０００７】
この外装仕上材は、保水性を有するガーデンマットが取り付けられた緑化パネルであり、この緑化パネルは、押出成形セメント板の外装パネルとして使用される。
【０００８】
そして、従来の蔓系植物を用いた巻付き登坂型の壁面緑化を実施する場合は、蔓を巻き付かせるためのワイヤを補助材として使用するものがある。
【先行技術文献】
【特許文献】
【０００９】
【特許文献１】特開平９−３２４４３４号公報
【特許文献２】特開２００６−２２５９０７号公報
【考案の概要】
【考案が解決しようとする課題】
【００１０】
しかし、上記従来の生態系育成用パネルでは、中空パネル基材の中空部には、吸水機能及び保水機能を有する詰物を充填する必要があり、更に、中空パネル基材の表面には、生物を育成するための表面化粧材を設ける必要があり、更にまた、この中空部を大気に連通させるための孔を、パネル基材の表面側部及び表面化粧材に設ける必要もあるので、構造が複雑であり、工事期間の長期化、施工性の低下、及び施工コストが嵩む傾向がある。
【００１１】
そして、上記従来の外装仕上材の取付構造では、外装仕上材（ガーデンマットが取り付けられた緑化パネル）を押出成形セメント板に取り付けるための板状アタッチメントが必要であるので、構造が複雑であり、施工性の低下及び施工コストが嵩む傾向がある。
【００１２】
また、上記従来の蔓系植物を用いた巻付き登坂型の壁面緑化を実施する場合では、蔓を巻き付かせるためのワイヤ（補助材）が必要となり、その分だけ施工性が低下する。そして、蔓系植物を育成する際に、風の影響を受けるために、発育が悪い場合がある。
【００１３】
本考案は、上記のような課題を解決するためになされたものであり、構造が簡単であって、工事期間の短縮、施工性の向上、及び施工コストの削減を図ることができる緑化用板状部材及び壁面等の緑化構造を提供することを目的としている。
【課題を解決するための手段】
【００１４】
本考案に係る緑化用板状部材は、壁部を形成するための板状体と、この板状体の表面に互いに間隔を隔てて略平行して設けられた2以上のリブとを備え、互いに隣合う前記リブと前記リブとの間の空間が、自然の植物又は人工の植物を配置するための緑化用空間として形成され、前記リブが前記植物を保持することを特徴とするものである。
【００１５】
本考案に係る緑化用板状部材は、例えば建物、土木構造物、又は塀の壁部や屋根を形成するために使用することができるし、外装仕上材としても使用することができる。そして、この緑化用板状部材に設けられているリブとリブとの間に形成された緑化用空間には、自然の植物又は人工の植物を配置することができ、このような植物をリブによって保持することができる。
【００１６】
従って、緑化用板状部材を、建物、土木構造物、又は塀等の壁部や屋根を形成するために使用する場合は、この緑化用板状部材自体に対して、植物を保持することができる機能を持たせたことによって、植物を保持するための別の架台（保持台）等を必要とせず、その結果、建物等の壁面が緑化された壁部や屋根を施工するときに、施工がし易くなり、施工コストの削減を図ることができる。
【００１７】
この考案に係る緑化用板状部材において、前記緑化用空間は、前記植物を保持するための緑化部材が装着されるように形成されているものとすることができる。
【００１８】
このようにすると、緑化用板状部材に設けられているリブとリブとの間に形成された緑化用空間には、例えば植栽土壌のような緑化部材を装着することができ、この緑化部材をリブが保持することができる。従って、このように建物の壁部等を形成するために使用される緑化用板状部材自体に対して、緑化部材を保持することができる機能を持たせたことによって、緑化部材を保持するための別の架台（保持台）等を必要とせず、その結果、緑化された壁部等を施工するときに、施工がし易くなり、施工コストの削減を図ることができる。
【００１９】
この考案に係る緑化用板状部材において、前記リブの先端部には、前記緑化用空間に装着された前記緑化部材、又は前記緑化用空間に配置された前記植物が、前記緑化用空間から離脱することを防止するための突起部が設けられているものとすることができる。
【００２０】
このようにすると、突起部によって、緑化用空間に装着された緑化部材、又は緑化用空間に配置された植物が、緑化用空間から離脱することを防止できる。そして、蔓系の自然植物を緑化用空間に配置した場合は、蔓系の自然植物の蔓は、リブの先端部の表面と、突起部の表面によって形成された内角部（隅部）に沿って伸びて成長するので、リブ間に形成された緑化用空間の長さ方向の全体に亘って、この蔓系の自然植物によって緑化することができる。
【００２１】
この考案に係る緑化用板状部材において、前記リブの前記緑化用空間を形成する保持面には、前記緑化用空間に装着された前記緑化部材が、前記リブの先端部側に向かって当該リブから滑り落ちることを防止するための滑り止め凸部が設けられているものとすることができる。
【００２２】
このようにすると、緑化部材を保持するリブの保持面に設けた滑り止め凸部が、緑化部材がリブの先端部側に向かって当該リブから滑り落ちることを防止することができ、緑化部材をリブによって確実に保持することができる。
【００２３】
この考案に係る緑化用板状部材において、前記リブが略水平方向に延びるように、前記緑化用板状部材が配置された状態で、前記リブの上面となる側の上向き保持面が、前記リブの先端部に向かうに従って下り勾配となるように形成されているものとすることができる。
【００２４】
このようにすると、リブの上面となる上向き保持面に滞留する水を、リブの先端部側に導くことができる。そして、このリブの先端部に突起部が設けられていない場合は、リブの上面の先端部側に導かれた水を、例えばそのリブの下方に形成されている別の緑化用空間に導いて流入させることができ、その別の緑化用空間に配置されている自然植物の育成に利用することができる。また、リブの先端部に突起部が設けられている場合は、リブの上面の先端部側に導かれた水を、その突起部で堰き止めて、そのリブの長さ方向に導いて行き渡らせることができ、そのリブの長さ方向の各部分に配置されている自然植物の育成に利用することができる。
【００２５】
この考案に係る緑化用板状部材において、前記リブの上向き保持面であって、前記リブの先端部側の部分に、前記リブの長さ方向と略平行して形成された溝部と、前記リブの先端部の上面となる側に設けられた前記突起部の上縁部に形成された切欠き部とを備えるものとすることができる。
【００２６】
このようにすると、リブの上面の先端部側に導かれた水を、溝部内に流入させることができ、この溝部によって、そのリブの長さ方向に確実に行き渡らせることができる。よって、その水を、リブの長さ方向の各部分に配置されている自然植物の育成に効果的に利用することができる。そして、このように、リブの長さ方向に行き渡った水は、その水量が増してきて所定以上の水位となると、切欠き部を通ってそのリブの下方に形成されている別の緑化用空間に導いて流入させることができ、その下方の別の緑化用空間に配置されている自然植物の育成に利用することができる。
【００２７】
そして、切欠き部を、リブの長さ方向に沿って所定の間隔を隔てて設けて、各切欠き部から水を流出させるようにすると、各切欠き部から流出する水を、そのリブの下方に形成されている別の緑化用空間の略全範囲に亘って流入させるようにすることができる。よって、その下方の別の緑化用空間に配置されている自然植物の育成に効果的に利用することができる。
【００２８】
この考案に係る緑化用板状部材において、前記２以上のリブの先端部を覆う状態で跨るように、前記緑化用板状部材に取り付けられ、前記緑化部材又は前記植物が、前記リブ間に形成された前記緑化用空間から離脱することを防止するための離脱防止具を備えるものとすることができる。
【００２９】
この離脱防止具によると、緑化部材又は植物が、リブ間に形成された緑化用空間から離脱することを防止することができ、壁面の緑化状態を長期間持続させることができる。そして、離脱防止具の少なくとも表面を金属製とはせずに、例えば合成樹脂製とすることによって、離脱防止具の表面が太陽熱等によって加熱され難くすることができ、離脱防止具が、この緑化用板状部材の緑化用空間に配置された例えば自然の植物に対して、熱影響を及ぼすことを抑えることができる。
【００３０】
この考案に係る緑化用板状部材において、前記緑化用板状部材の表面のうち、少なくとも前記緑化用空間を形成する内面に、防水処理を施したものとすることができる。
【００３１】
このように、緑化用板状部材の表面のうち、少なくとも緑化用空間を形成する内面に防水処理を施すことによって、この緑化用空間に配置される緑化部材又は植物に含まれている水分によって、緑化用板状部材が劣化することを抑制でき、耐久性の向上を図ることができる。
【００３２】
この考案に係る緑化用板状部材において、前記板状体が、押出成形セメント板であるものとすることができる。
【００３３】
このように、板状体を押出成形セメント板として形成することによって、例えば建物、土木構造物、又は塀の壁部、又は屋根に必要とされる強度及び耐久性等の品質を備え、かつ、略同一形状の緑化用板状部材を、簡単に低コストで多量に生産することができる。
【００３４】
この考案に係る緑化用板状部材において、前記板状体には、その押出方向に平行して中空部が形成され、前記リブが前記板状体と一体に押出成形によって形成されているものとすることができる。
【００３５】
このように、板状体の押出方向に平行して、この板状体に中空部を形成すると、軽量であって、必要とされる強度及び耐久性等の品質を有する緑化用板状部材を提供することができる。そして、リブを板状体と一体に押出成形によって形成するようにすると、板状体とリブとを別個に製造して、その後に、リブを板状体に取り付ける場合と比較して、生産コストの低減を図ることができ、リブの強度の向上を図ることができる。
【００３６】
この考案に係る緑化用板状部材において、前記板状体が、金属製又は合成樹脂製であるものとすることができる。
【００３７】
この緑化用板状部材の板状体の材質は、その緑化用板状部材が使用される例えば建物、土木構造物、若しくは塀の壁部、又は屋根の用途に適した金属製又は合成樹脂製とすることができる。
【００３８】
この考案に係る緑化用板状部材において、前記緑化用空間に、前記植物を保持するための前記緑化部材又は前記植物が装着されているものとすることができる。
【００３９】
このように、予め緑化用空間に、植物を保持するための緑化部材又は植物が装着されている緑化用板状部材を使用して建物、土木構造物、若しくは塀の壁部、又は屋根を形成するようにすると、予め緑化用空間に、植物を保持するための緑化部材等が装着されていない緑化用板状部材を使用して建物等の壁部、又は屋根を形成する場合と比較して、工事期間の短縮、施工性の向上、及び施工コストの削減を図ることができる。
【００４０】
この考案に係る緑化用板状部材において、前記板状体は、建物、土木構造物、若しくは塀の壁部、又は屋根を形成するために使用されるものとすることができる。
【００４１】
このようにすると、この緑化用板状部材を、建物、土木構造物、若しくは塀等の壁部、又は屋根を形成するために使用することができるし、これらの壁部や屋根の外面を緑化することに使用することができる。
【００４２】
本考案に係る壁面等の緑化構造は、本考案の緑化用板状部材を備えることを特徴とするものである。
【００４３】
本考案に係る壁面等の緑化構造によると、本考案に係る緑化用板状部材を備えており、これと同様に作用する。
【００４４】
この考案に係る壁面等の緑化構造において、前記緑化用空間に、灌水用パイプを設けたものとすることができる。
【００４５】
このようにすると、灌水用パイプによって、緑化用空間に配置されている自然の植物に対して容易に灌水することができる。そして、リブの先端部に突起部を設けた構成とした場合は、この突起部によって灌水用パイプが隠れるようにすることができるので、この壁面等の緑化構造の見栄えを良くすることができる。
【００４６】
この考案に係る壁面等の緑化構造において、前記緑化用板状部材の前記リブの延びる方向を略縦方向に配置して、前記緑化空間に蔓系の前記植物を配置できるようにすることができる。
【００４７】
このようにすると、例えば蔓系の自然植物が縦方向に伸びた景観の壁面等の緑化構造を提供することができる。そして、リブに突起部が設けられている場合は、この突起部によって、緑化用空間に配置された蔓系の植物が、緑化用空間から離脱することを防止できる。そして、蔓系の自然植物を緑化用空間に配置した場合は、蔓系の自然植物の蔓は、リブの先端部の表面と、突起部の表面によって形成された内角部（隅部）、及び、リブの基端部の表面と、板状体の表面とによって形成されたそれぞれの内角部（隅部）に沿って伸びて成長するので、リブ間に形成された緑化用空間の長さ方向（縦方向）の全体に亘って、この蔓系の自然植物によって緑化することができる。また、この蔓系の自然植物は、その内角部（隅部）に沿って縦方向に伸びて成長するので、この縦方向に伸びた自然植物は、その内角部の内面に保持され、この蔓系の自然植物が、緑化用空間から離脱することを確実に防止できる。
【考案の効果】
【００４８】
本考案に係る緑化用板状部材及び壁面等の緑化構造によると、建物、土木構造物、又は塀等の壁部や屋根を形成するために使用される緑化用板状部材自体に対して、植物を保持することができるリブを設けた構成としたことによって、緑化用板状部材及び壁面等の緑化構造の構成の簡単化を図ることができる。よって、建物等の壁面が緑化された壁部や、緑化された屋根を施工するときに、植物を保持するための別の架台等が不要であり、その結果、工事期間の短縮、施工性の向上、及び施工コストの削減を図ることができる。
【００４９】
そして、緑化用板状部材のリブ間に形成された緑化用空間には、所望の様々な植栽を配置することができる。よって、この緑化用板状部材が使用される建物、土木構造物、又は塀の壁部や屋根の周囲環境及び周囲の景色等に応じて、所望の植栽を選択して壁面や屋根の緑化を図ることができる。
【００５０】
また、緑化用板状部材のリブ間に形成された緑化用空間に、植物を保持するための緑化部材（例えば植栽土壌）を装着して、この緑化部材をリブによって保持する構成とすると、緑化部材をリブ間の緑化用空間に容易に装着することができるし、この緑化部材が経年変化によって劣化したときに、この劣化した緑化部材を劣化していないものに容易に取り替えることができる。
【００５１】
そして、灌水用パイプを、緑化用板状部材のリブ間に形成された緑化用空間に設置する構成とすると、灌水用パイプをリブ間の緑化用空間に容易に設置できるし、取替えもすることもできる。これによって、緑化用板状部材のリブ間に配置された植物、緑化部材、及び灌水用パイプのメンテナンスが容易となり、そのために、それらのランニングコストの低減も図ることができる。
【００５２】
更に、板状体を押出成形セメント板とし、この板状体とリブとを一体に押出成形して製造することとした場合は、板状体とリブとを別個に製造して、リブを板状体に取り付けるようにした場合と比較して、生産性及び施工性の向上、並びに、生産コスト及び施工コストの低減を図ることができ、更に、リブにより板状体の強度の向上を図ることができる。
【００５３】
そして、離脱防止具を緑化用板状部材に設けた構成とすると、例えば緑化部材としての土壌、又は蔓系植物の蔓が、リブ間に形成された緑化用空間から離脱することを防止することができ、壁面の緑化状態を長期間持続させることができる。そして、離脱防止具を緑化用板状部材に設けない構成とすると、緑化用板状部材の緑化用空間に配置された自然の植物に対しての離脱防止具に基づく熱影響を解消することができる。
【図面の簡単な説明】
【００５４】
【図１】この考案の第１実施形態に係る緑化用板状部材を示す図であり、（ａ）は、縦断面図、（ｂ）は、部分拡大縦断面図である。
【図２】同第１実施形態に係る緑化用板状部材に緑化部材及び植物を装着した状態を示す緑化用板状部材を示す図であり、（ａ）は、縦断面図、（ｂ）は、部分拡大縦断面図である。
【図３】図２（ａ）に示す緑化用板状部材に緑化部材及び植物を装着した緑化用板状部材の正面図である。
【図４】（ａ）は、同考案の第２実施形態に係る緑化用板状部材を示す部分拡大縦断面図、（ｂ）は、同考案の第３実施形態に係る緑化用板状部材を示す部分拡大縦断面図である。
【図５】図４（ｂ）に示す同第３実施形態に係る緑化用板状部材に取り付けられている離脱防止具を示す部分拡大縦断面図である。
【図６】同考案の第４実施形態に係る壁面等の緑化構造を説明するための図であり、（ａ）は、緑化用板状部材を示す縦断面図、（ｂ）は、図６（ａ）に示す緑化用板状部材に緑化部材及び灌水用パイプを取り付けた状態を示す縦断面図、（ｃ）は、図６（ｂ）に示す緑化部材に植物が育成している状態を示す縦断面図である。
【図７】図６（ｂ）に示す緑化部材が装着された緑化用板状部材の正面図である。
【図８】図６（ｃ）に示す植物が育成した状態の緑化用板状部材の正面図である。
【図９】図６（ｃ）に示す植物が育成した状態の緑化用板状部材を備える壁面等の緑化構造の縦断面図である。
【図１０】従来において、蔓系植物がワイヤーに巻き付いて登坂する状態を示す図である。
【図１１】同考案の第５実施形態に係る壁面等の緑化構造を説明するための図であり、図６（ａ）に示す緑化用板状部材の縦張り構造において、蔓系植物が植栽されている状態を示し、（ａ）は、正面図、（ｂ）は、横断面図である。
【図１２】図１１（ａ）に示す緑化用板状部材に植栽された蔓系植物の先端部がリブ間の緑化用空間から離脱した状態を示す図であり、（ａ）は、側面図、（ｂ）は、正面図、（ｃ）は、横断面図である。
【図１３】図１１（ａ）の蔓系植物が植栽された緑化用板状部材に離脱防止具を取り付けた状態を示す図であり、（ａ）は、側面図、（ｂ）は、正面図、（ｃ）は、横断面図である。
【考案を実施するための形態】
【００５５】
以下、本考案に係る緑化用板状部材、及び壁面等の緑化構造の第１実施形態を、図１〜図３を参照して説明する。この緑化用板状部材１１は、例えば建物、土木構造物、又は塀の壁部を形成したり、それらの屋根を形成することができるものであって、板状体１３の表面に設けられた２以上のリブ１４によって自然の植物１５又は人工の植物１５（以下、単に「植物」と言うこともある。）を保持できるようにしたものである。
【００５６】
図１（ａ）に示す緑化用板状部材１１は、例えば壁部を形成するための略矩形の板状体１３を備えている。この板状体１３の一方の表面には、互いに一定間隔を隔てて略平行して設けられた複数（例えば５つ）のリブ１４を備えている。そして、互いに隣合うリブ１４とリブ１４との間の空間が、自然の植物１５又は人工の植物１５を配置するための緑化用空間１６として形成されている。
【００５７】
この緑化用空間１６は、図２及び図３に示すように、植物１５を保持するための緑化部材１７が装着されるように形成され、リブ１４は、緑化部材１７を保持することができるように形成されている。
【００５８】
この緑化部材１７は、植栽されていてもよいし、植栽されていなくてもよい。植栽は、この壁面等の緑化構造１２を施工した後で行っても良い。また、緑化部材１７には、植物１５の苗や種子が植えられていてもよい。
【００５９】
また、リブ１４は、図１（ａ）、（ｂ）に示すように、長さ方向に直行する断面形状が略台形であり、先端部に向かうに従って先細りする形状に形成されている。
【００６０】
そして、リブ１４が略水平方向に延びるように、この緑化用板状部材１１が配置された状態で、リブ１４の上面となる側の上向き保持面１４ａが、リブ１４の先端部に向かうに従って下り勾配となるように形成されている。
【００６１】
また、図１（ａ）、（ｂ）に示すように、各リブ１４の緑化用空間１６を形成する上向き保持面１４ａ、及び下向き保持面１４ｂには、緑化用空間１６に装着された緑化部材１７が、リブ１４の先端部側に向かって当該リブ１４から滑り落ちることを防止するための例えば複数の滑り止め凸部１８が設けられている。
【００６２】
更に、緑化用板状部材１１のリブ１４が設けられている側の外表面のうち、少なくとも緑化用空間１６を形成する表面に、防水処理を施してある。ただし、緑化用板状部材１１のリブ１４が設けられている側の外表面の全体に防水処理を施してもよい。
【００６３】
そして、図１（ａ）、（ｂ）に示す緑化用板状部材１１は、例えば押出成形セメント板であり、その押出方向に平行して板状体１３に中空部１９が形成され、各リブ１４が板状体１３と一体に押出成形されている。そして、各リブ１４にも中空部１９が形成されている。
【００６４】
この実施形態の壁面等の緑化構造１２における緑化用板状部材１１の取付方向は、中空部１９の長さ方向が横方向（水平方向）となるように、この緑化用板状部材１１が建物の躯体（図示せず）に取り付けられている（所謂、「横張り」されている。）。
【００６５】
そして、図１（ａ）に示すように、緑化用板状部材１１の上辺部に凸部２０が形成され、下辺部に凹部２１が形成されており、上下に隣接して配置されている緑化用板状部材１１どうしは、これら凸部２０と凹部２１とを嵌合させて連結されている。また、緑化用板状部材１１の各辺部どうしの間に形成される目地には、ガスケットやシーリングが設けられている。
【００６６】
ただし、緑化用板状部材１１を押出成形セメント板としたが、これに代えて、金属製又は合成樹脂製の板状部材としてもよい。緑化用板状部材１１の材質は、その緑化用板状部材１１が使用される例えば建物、土木構造物、又は塀の各壁部や、屋根等の用途に適した金属製又は合成樹脂製とすることができる。
【００６７】
そして、緑化用板状部材１１を構成する板状体１３とリブ１４とは、一体に形成してもよいし、別個の部品として製造して、リブ１４を板状体１３に取り付けるようにしてもよい。
【００６８】
また、図２（ａ）に示すように、緑化用板状部材１１の表面には、５つのリブ１４が設けられているが、このリブ１４の数は、緑化用板状部材１１の縦方法（幅方向）の寸法に応じて適切な数に設定することができる。また、リブ１４の大きさや形状は、この緑化用板状部材１１によって形成された建物等の外壁面及び屋根の外観や、緑化部材１７の大きさ、種類、重量等に応じて適宜設定することができる。そして、リブ１４どうしの間隔も、緑化部材１７の大きさ及び種類等に応じて適宜設定することができる。
【００６９】
更に、図２及び図３に示すように、リブ１４とリブ１４との間の緑化用空間１６には、自然の植物１５又は人工の植物１５を保持するための緑化部材１７が装着されている。
【００７０】
緑化部材１７は、例えば植栽土壌とすることができ、この植栽土壌としては、繊維補強された固形物、土、軽量土壌、ソイルセメント、やしマット、ピートブロック、ウレタンマット、保水性スポンジ、ポーラスコンクリートブロック、ピートモス、パーライト、ポリエステル繊維、繊維単体等を用いることができる。
【００７１】
植栽される植物１５は、公知の壁面緑化や屋上緑化に使用される植物を用いることができる。
【００７２】
次に、図２及び図３を参照して離脱防止具２２を説明する。この離脱防止具２２は、緑化用板状部材１１の緑化用空間１６に装着された合計４列の緑化部材１７が、この緑化用板状部材１１から脱落することを防止するためのものである。この離脱防止具２２は、離脱防止ワイヤ２３と、留め金具２４とを備えている。
【００７３】
離脱防止ワイヤ２３は、図２及び図３に示すように、鉛直方向に張られ、水平方向に配置された３つのリブ１４の先端部を覆う状態で跨るように配置されている。そして、この離脱防止ワイヤ２３の上下の各端部は、留め金具２４に結び付けられており、上下の各留め金具２４は、緑化用板状部材１１の上辺部のリブ１４、及び下辺部のリブ１４にそれぞれ着脱自在に取り付けられている。
【００７４】
この留め金具２４は、図２（ｂ）に示すように、屈曲部材２５と、留めボルト２６とを備えている。屈曲部材２５は、その一端部がリブ１４の上向き保持面１４ａに形成された滑り止め凸部１８に係合し、その他端部がリブ１４の下向き保持面１４ｂに対向するように配置されている。そして、屈曲部材２５の他端部に形成された雌ねじ部には、留めボルト２６が螺合しており、この留めボルト２６の先端部は、リブ１４の下向き保持面１４ｂに形成された引っ掛け凹部２７に係合している。このようにして、留め金具２４が、図２及び図３に示すように、緑化用板状部材１１の上辺部のリブ１４、及び下辺部のリブ１４にそれぞれ着脱自在に取り付けられている。
【００７５】
この離脱防止具２２によると、各緑化用空間１６に装着された合計４列のそれぞれの緑化部材１７が、それぞれの緑化用空間１６から脱落することを防止することができる。
【００７６】
次に、上記のように構成された緑化用板状部材１１及び壁面等の緑化構造１２の作用を説明する。図１〜図３に示す緑化用板状部材１１は、例えば建物、土木構造物、又は塀の壁部や屋根を形成するために使用することができる。そして、この緑化用板状部材１１に設けられているリブ１４とリブ１４との間に形成された４列の各緑化用空間１６には、自然の植物１５又は人工の植物１５が保持された緑化部材１７を装着することができ、このようにして、植物１５をリブ１４によって保持することができる。
【００７７】
従って、緑化用板状部材１１を、建物、土木構造物、又は塀等の壁部を形成するために使用する場合において、この緑化用板状部材１１自体に対して、緑化部材１７及び植物１５を保持することができる機能を持たせたことによって、緑化用板状部材１１及び壁面等の緑化構造１２の構成の簡単化を図ることができる。よって、緑化部材１７及び植物１５を保持するための別の架台（保持台）等が不要となり、その結果、建物等の壁面が緑化された壁部を施工するときに、工事期間の短縮、施工性の向上、及び施工コストの削減を図ることができる。また、緑化用板状部材１１を屋根に使用する場合においても、上記と同様の効果を奏することができる。
【００７８】
そして、緑化用板状部材１１のリブ１４間に形成された緑化用空間１６には、所望の様々な植栽を配置することができる。よって、この緑化用板状部材１１が使用される建物、土木構造物、又は塀の壁部の周囲環境及び周囲の景色等に応じて、所望の植栽を選択して壁面の緑化を図ることができる。
【００７９】
また、図２及び図３に示すように、緑化用板状部材１１のリブ１４間に形成された４列の各緑化用空間１６に、植物１５を保持するための緑化部材１７（例えば植栽土壌）を装着して、この緑化部材１７をリブ１４によって保持する構成であるので、緑化部材１７をリブ１４間の緑化用空間１６に容易に装着することができるし、この緑化部材１７が経年変化によって劣化したときに、この劣化した緑化部材１７を劣化していないものに容易に取り替えることができる。これによって、緑化用板状部材１１のリブ１４間に配置された植物１５及び緑化部材１７のメンテナンスが容易となり、そのために、それらのランニングコストの低減も図ることができる。
【００８０】
更に、図２（ａ）、（ｂ）に示すように、緑化部材１７を保持する各リブ１４の下向き保持面１４ｂ及び上向き保持面１４ａに滑り止め凸部１８を設けたので、滑り止め凸部１８は、緑化部材１７がリブ１４の先端部側に向かって当該リブ１４から滑り落ちることを防止することができ、緑化部材１７をリブ１４によって確実に保持することができる。
【００８１】
そして、図２（ａ）、（ｂ）に示すように、リブ１４の上面となる上向き保持面１４ａが、リブ１４の先端部に向かうに従って下り勾配となるように形成されているので、このリブ１４の上向き保持面１４ａに滞留する雨水等の水を、リブ１４の先端部側に導くことができる。そして、このリブ１４の上向き保持面１４ａの先端部側に導かれた水を、そのリブ１４の下方に形成されている別の緑化用空間１６に導くことができ、その別の緑化用空間１６に装着されている別の緑化部材１７に水を流入させることができる。これによって、その下方の別の緑化部材１７に流入する水を、その緑化部材１７に保持されている自然植物１５の育成に利用することができる。
【００８２】
また、図２及び図３に示す離脱防止具２２によると、植物１５を保持している合計４列の各緑化部材１７が、リブ１４間に形成された４列の各緑化用空間１６から脱落することを防止することができ、壁面の緑化状態を長期間持続させることができる。そして、離脱防止具２２を構成する離脱防止ワイヤ２３の少なくとも表面を金属製とはせずに、例えば合成樹脂製とすることによって、離脱防止ワイヤ２３の表面が太陽熱等によって加熱され難くすることができ、離脱防止ワイヤ２３が、この緑化用板状部材１１に配置された自然の植物１５に対して熱影響を及ぼすことを抑えることができる。
【００８３】
ただし、離脱防止具２２を緑化用板状部材１１に設けない構成としてもよい。このようにすると、緑化用板状部材１１の緑化用空間１６に配置された自然の植物１５に対しての離脱防止ワイヤ２３に基づく熱影響を解消することができる。
【００８４】
更に、図２（ａ）、（ｂ）に示す緑化用板状部材１１の表面のうち、少なくとも緑化用空間１６を形成する表面（各リブ１４の上向き保持面１４ａ、下向き保持面１４ｂ、及び板状体１３の外表面）に防水処理を施すことによって、この緑化用空間１６に配置される緑化部材１７又は植物１５に含まれている水分によって、緑化用板状部材１１が劣化することを抑制でき、耐久性の向上を図ることができる。
【００８５】
なお、緑化用板状部材１１のリブ１４が設けられている側の外表面の全体に防水処理を施すことによって、水分によって、緑化用板状部材１１が劣化することを確実に防止することができる。
【００８６】
そして、この実施形態では、図１（ａ）、（ｂ）に示す緑化用板状部材１１を、押出成形セメント板として形成してあり、このようにして形成することによって、例えば建物、土木構造物、又は塀の壁部に必要とされる強度及び耐久性等の品質を備え、かつ、略同一形状の緑化用板状部材１１を、簡単に低コストで多量に生産することができる。
【００８７】
また、この緑化用板状部材１１は、その押出方向に平行して、その板状体１３及びリブ１４に中空部１９が形成されているので、軽量であって、必要とされる強度及び耐久性等の品質を有する緑化用板状部材１１を提供することができる。そして、リブ１４を板状体１３と一体に押出成形によって形成してあるので、板状体１３とリブ１４とを別個に製造して、その後に、リブ１４を板状体１３に取り付ける場合と比較して、生産コストの低減を図ることができ、リブ１４により板状体１３の強度の向上を図ることができる。
【００８８】
更に、この実施形態では、緑化用板状部材１１の４列の各緑化用空間１６には、予め、植物１５を保持するための緑化部材１７がそれぞれ装着されている。このように、予め緑化用空間１６に、植物１５を保持するための緑化部材１７が装着されている緑化用板状部材１１を使用して建物、土木構造物、又は塀の壁部を形成するようにすると、予め緑化用空間１６に、植物１５を保持するための緑化部材１７が装着されていない緑化用板状部材１１を使用して建物等の壁部を形成する場合と比較して、工事期間の短縮、施工性の向上、及び施工コストの削減を図ることができる。
【００８９】
ただし、例えば緑化部材１７の重量が大きい場合は、４列の各緑化用空間１６に緑化部材１７が装着されていない緑化用板状部材１１を使用して建物等の壁部を形成して、しかる後に、４列の各緑化用空間１６に緑化部材１７を装着してもよい。
【００９０】
次に、本考案に係る緑化用板状部材の第２実施形態を、図４（ａ）、図７、及び図８を参照して説明する。この図４（ａ）に示す第２実施形態の緑化用板状部材２９は、図１に示す第１実施形態の緑化用板状部材１１において、各リブ１４の先端部に対して上向き突起部３０及び下向き突起部３１を設けてある。そして、この上向き及び下向きの各突起部３０、３１は、水平方向に延びるリブ１４の長さ方向の全範囲に亘って形成されている。
【００９１】
このようにすると、上向き及び下向きの各突起部３０、３１によって、緑化用空間１６に装着された緑化部材１７が緑化用空間１６から脱落することを確実に防止できる。
【００９２】
なお、この実施形態では、リブ１４の先端部に突起部３０、３１を設けて、この突起部３０、３１によって緑化部材１７の脱落を防止しているので、第１実施形態のように、リブ１４の上向き及び下向きの各保持面１４ａ、１４ｂには、滑り止め凸部１８を設けてはいない。
【００９３】
また、リブ１４の先端部に上向き突起部３０を設けたことによって、リブ１４の上向き保持面１４ａの先端部側に導かれた雨水等の水３４を、リブ１４の先端部から全て下方に流出させること無く、その上向き突起部３０で堰き止めて、そのリブ１４の長さ方向に導いて行き渡らせることができ、そのリブ１４の長さ方向の各部分に配置されている緑化部材１７を介して自然植物１５の育成に利用することができる。
【００９４】
そして、この図４（ａ）に示す第２実施形態の緑化用板状部材２９は、リブ１４の上面となる側の上向き保持面１４ａであって、リブ１４の先端部側の部分に、リブ１４の長さ方向と略平行して溝部３２が形成されている。
【００９５】
更に、リブ１４の先端部の上面となる側に設けられた上向き突起部３０の上縁部に切欠き部３３が形成されている。この切欠き部３３は、図７の正面図に示すように、上から２つ目、３つ目、４つ目、及び５つ目の各リブ１４に形成されたそれぞれの上向き突起部３０に形成されている。
【００９６】
そして、上から２つ目のリブ１４に形成された上向き突起部３０には、４つの切欠き部３３が形成されている。また、上から３つ目〜５つ目の各リブ１４に形成されたそれぞれの上向き突起部３０には、切欠き部３３が２つずつ形成されている。そして、これら上から３つ目〜５つ目の各リブ１４の各上向き突起部３０に形成された合計６つの切欠き部３３は、上下方向の線上で一致しないように分散するように配置されている。
【００９７】
上記のように構成された緑化用板状部材２９によると、リブ１４の上面の上向き保持面１４ａが先端部側に向かうに従って下り勾配となるように形成され、この上向き保持面１４ａの先端部側に導かれた雨水等の水３４を、溝部３２内に流入させることができ、この溝部３２によって、そのリブ１４の長さ方向に導いて確実に行き渡らせることができる。そして、この溝部３２内の水３４は、リブ１４の長さ方向の各部分に配置されている緑化部材１７に吸い込まれて、この緑化部材１７に保持されている自然植物１５の育成に効果的に利用することができる。
【００９８】
そして、このように、リブ１４の長さ方向に行き渡った水３４は、その水量が増してきて所定以上の水位となると、図７及び図８に示すように、各切欠き部３３を通ってそのリブ１４の下方に形成されている別の緑化用空間１６に装着されている緑化部材１７に保持されている自然植物１５に注がれる。そして、この下方に配置されている自然植物１５が保持されている緑化部材１７に流入させることができる。このようにして、水３４は、その下方の別の緑化用空間１６に配置されている自然植物１５の育成に利用することができる。
【００９９】
そして、図７及び図８に示すように、各切欠き部３３を、リブ１４の長さ方向に沿って互いに所定の間隔を隔てて設けてあり、各切欠き部３３から水３４を流出させるようにしてあるので、各切欠き部３３から流出する水３４を、そのリブ１４の下方に形成されている別の緑化用空間１６の略全範囲に亘って流入させることができ、その下方の別の緑化用空間１６に配置されている自然植物１５の育成に効果的に利用することができる。
【０１００】
このようにして、緑化用板状部材１１の４列の各緑化用空間１６に配置されている全ての自然植物１５に対して、水３４が注がれるようにすることができる。
【０１０１】
これ以外は、第１実施形態と同等の構成であり同様に作用するので、同等の部分を同一の図面符号で示し、それらの説明を省略する。
【０１０２】
次に、本考案に係る緑化用板状部材の第３実施形態を、図４（ｂ）及び図５を参照して説明する。この図４（ｂ）に示す第３実施形態の緑化用板状部材３６と、図４（ａ）に示す第２実施形態の緑化用板状部材２９とが相違するところは、図４（ａ）に示す第２実施形態では、リブ１４の先端部、上向き突起部３０、及び下向き突起部３１の各外表面が、全体として平坦面として形成され、かつ、この外表面が略鉛直方向と平行して形成されているのに対して、図４（ｂ）に示す第３実施形態では、リブ１４の先端部、上向き突起部３０、及び下向きの突起部の各外表面が、全体として外側に緩やかに突出する湾曲面として形成され、かつ、上向き及び下向き突起部３０、３１の各外表面がそれぞれの先端部に向かうに従って、緑化用板状部材３６の板状体１３に接近するように傾斜面３７として形成されている。
【０１０３】
これ以外は、第２実施形態と同等の構成であり同様に作用するので、同等の部分を同一の図面符号で示し、それらの説明を省略する。
【０１０４】
上記のように構成された緑化用板状部材３６によると、図４（ｂ）に示すように、雨水等の水３４が、各切欠き部３３を通って湾曲面及び下向き突起部３１の傾斜面３７を伝わり、そのリブ１４の下方に形成されている別の緑化用空間１６に装着されている緑化部材１７に導かれる。そして、各切欠き部３３から流出する水３４は、この下方にある緑化部材１７に保持されている自然植物１５にも注がれる。このようにして、その下方の緑化用空間１６に配置されている自然植物１５の育成に利用することができる。
【０１０５】
よって、緑化用板状部材３６の４列の各緑化用空間１６に配置されている全ての自然植物１５に対して、水３４が注がれるようにすることができる。
【０１０６】
図５は、離脱防止具２２を示す図である。この図５に示す第３実施形態の離脱防止具２２と、図２（ｂ）に示す第１実施形態の離脱防止具２２とが相違するところは、図２（ｂ）に示す第１実施形態では、留め金具２４を構成する屈曲部材２５の一端部が、リブ１４の上向き保持面１４ａに形成された滑り止め凸部１８に係合しているのに対して、図５に示す第３実施形態では、留め金具２４を構成する屈曲部材２５の一端部が、リブ１４の先端部に形成されている上向き突起部３０に係合しているところである。
【０１０７】
このように、図４（ｂ）に示す第３実施形態の緑化用板状部材３６に対しても、離脱防止具２２を取り付けて使用することができる。
【０１０８】
次に、本考案に係る壁面等の緑化構造の第４実施形態を、図６〜図９を参照して説明する。この壁面等の緑化構造３９は、図９に示すように、図４（ｂ）に示す第３実施形態の緑化用板状部材３６を使用するものであり、この緑化用板状部材３６は、横張りされて互いに連結した状態で設けられている。そして、複数のそれぞれの緑化用板状部材３６に形成されている４列の緑化用空間１６のうちの最上段の緑化用空間１６には、灌水用パイプ４０を設けてある。この灌水用パイプ４０は、リブ１４の上向き保持面１４ａの基端部側に配置され、このリブ１４の長さ方向に沿って延びる形状である。
【０１０９】
この灌水用パイプ４０は、その一端部が給水管（図示せず）と接続していて、この灌水用パイプ４０には、このパイプ４０の長さ方向に亘って多数の小孔（図示せず）が形成されている。これによって、給水管から灌水用パイプ４０に供給された水３４は、灌水用パイプ４０の長さ方向の各部分に配置されている緑化部材１７に吸い込まれて、この緑化部材１７に保持されている自然植物１５の育成に効果的に利用することができる。
【０１１０】
そして、灌水用パイプ４０の多数の小孔から流出した水３４によって、リブ１４の上向き保持面１４ａ上の水量が増してきて所定以上の水位となると、この水３４は、図７及び図８に示すように、上記第３実施形態で説明したことと同様にして、各切欠き部３３を通ってそのリブ１４の下方に形成されている別の緑化用空間１６に装着されている緑化部材１７、及びこの緑化部材１７に保持されている自然植物１５に注がれる。
【０１１１】
このようにして、緑化用板状部材３６の４列の各緑化用空間１６に配置されている全ての自然植物１５に対して、容易に灌水することができる。
【０１１２】
そして、図９に示すように、灌水用パイプ４０は、緑化部材１７の内側に配置して隠れるようにしたので、この壁面等の緑化構造３９の見栄えを良くすることができる。
【０１１３】
また、灌水用パイプ４０を緑化部材１７の外側に配置することもできる。このように配置した場合でも、上向き突起部３０によって灌水用パイプ４０を隠すことができ、見栄えを良くすることができる。
【０１１４】
また、図６（ａ）、（ｂ）に示すように、灌水用パイプ４０は、緑化用板状部材３６のリブ１４間に形成された緑化用空間１６に設置する構成としたので、灌水用パイプ４０をこの緑化用空間１６に容易に設置できるし、取替えも容易に行うこともできる。これによって、緑化用板状部材３６のリブ１４間に配置された植物１５、緑化部材１７、及び灌水用パイプ４０のメンテナンスが容易となり、そのために、それらのランニングコストの低減も図ることができる。
【０１１５】
ただし、この実施形態では、図９に示すように、複数のそれぞれの緑化用板状部材３６に形成されている４列の緑化用空間１６のうちの最上段の緑化用空間１６に灌水用パイプ４０を設けたが、所望の１又は２以上の段の緑化用空間１６に灌水用パイプ４０を設けてもよい。
【０１１６】
なお、図６（ａ）は、壁面等の緑化構造３９に使用されている緑化用板状部材３６を示す縦断面図である。図６（ｂ）は、図６（ａ）に示す緑化用板状部材３６に緑化部材１７及び灌水用パイプ４０を取り付けた状態を示す縦断面図である。図６（ｃ）は、図６（ｂ）に示す緑化部材１７に植栽した植物１５が育成している状態を示す縦断面図である。
【０１１７】
図７は、図６（ｂ）に示す緑化部材１７が装着された緑化用板状部材３６の正面図であり、灌水用パイプ４０の各小孔から流出する水３４が、各切欠き部３３から流出する状態を示している。図８は、図６（ｃ）に示す植物１５が育成した状態の緑化用板状部材３６の正面図であり、各切欠き部３３から水３４が流出する状態を示している。
【０１１８】
図９は、壁面等の緑化構造３９を示す縦断面図である。図９に示すように、建物の躯体である鉄骨柱４１の外面４２にはブラケット４３が溶接固定されている。このブラケット４３には断面Ｌ字形の上下に延在するアングル材４４の一方の片部４４ａが溶接固定されている。したがって、アングル材４４は、他方の片部４４ｂが鉄骨柱４１の外面４２と平行となって上下に延在する。
【０１１９】
このアングル材４４の片部４４ｂにはＺクリップ４５を介して緑化用板状部材３６が取り付けられている。すなわち、緑化用板状部材３６の中空部１９にはプレートナット４６が挿入され、緑化用板状部材３６の背面４７にはＺクリップ４５の一端を貫通したボルト４９がプレートナット４６に螺合されている。緑化用板状部材３６は、背面４７がパッキン５１を介してアングル材４４の片部４４ｂに当接されている。つまり、緑化用板状部材３６は、背面４７と、この背面４７に固定されたＺクリップ４５とで片部４４ｂを挟持してアングル材４４に取り付けられている。また、緑化用板状部材３６は、上下に隣接する複数枚毎に、アングル材４４に溶接固定された重量受け部材５０によって下端が支持されている。
【０１２０】
次に、本考案に係る壁面等の緑化構造の第５実施形態を、図１０〜図１３を参照して説明する。この壁面等の緑化構造５３は、図１１に示すように、図４（ｂ）に示す第３実施形態の緑化用板状部材３６（切欠き部３３は、設けてはいない。）を使用するものであり、この緑化用板状部材３６は、縦張りされて互いに連結した状態で設けられている。
【０１２１】
つまり、図１１に示す壁面等の緑化構造５３は、緑化用板状部材３６の各リブ１４の延びる方向を略縦方向に配置して、縦方向に延びる各緑化用空間１６に蔓系の植物１５を配置できるようにしたものである。そして、この蔓系植物１５の根を保持するための緑化部材１７が緑化用空間１６に装着されている。
【０１２２】
このようにすると、例えば蔓系の自然植物１５が縦方向に伸びた景観の壁面等の緑化構造５３を提供することができる。そして、リブ１４に上向き及び下向きの突起部３０、３１が設けられているので、この突起部３０、３１によって、緑化用空間１６に配置された蔓系の植物１５が、緑化用空間１６から離脱することを防止できる。
【０１２３】
そして、このように、緑化用空間１６内の蔓系の自然植物１５は、リブ１４の先端部の上向き及び下向きの各突起部３０、３１と、リブ１４の保持面１４ａ、１４ｂとによって形成されたそれぞれの内角部（隅部）、及び、リブ１４の保持面１４ａ、１４ｂと、板状体１３の表面とによって形成されたそれぞれの内角部（隅部）に沿って伸びて成長するので、リブ１４間に形成された緑化用空間１６を、その長さ方向（縦方向）の全体に亘って、この蔓系の自然植物１５によって緑化することができる。また、この蔓系の自然植物１５は、その内角部（隅部）に沿って縦方向に伸びて成長するので、この縦方向に伸びた自然植物１５は、その内角部の内面に保持され、この蔓系の自然植物１５が、緑化用空間１６から離脱することを確実に防止できる。
【０１２４】
図１０は、従来において、植物１５の蔓を巻き付かせるためのワイヤ５４を補助材として使用するものの例を示している。このように、従来では、蔓を巻き付かせるためのワイヤ５４（補助材）が必要となり、その分だけ施工性が低下する。更に、蔓系植物１５を育成する上で、風の影響を受けるために、発育が悪い場合がある。
【０１２５】
これに対して、図１１に示す壁面等の緑化構造５３によると、蔓を巻き付かせるためのワイヤ５４（補助材）が不要であり、その分だけ施工性が向上する。そして、蔓系植物１５は、リブ１４の先端部の上向き及び下向きの各突起部３０、３１と、リブ１４の保持面１４ａ、１４ｂとによって形成されたそれぞれの緑化用空間１６内に配置されるので、蔓系植物１５を育成する際に、風の影響を受けることが少ないために、発育が良好となる。
【０１２６】
図１２（ａ）、（ｂ）、（ｃ）は、緑化用板状部材３６に植栽された蔓系植物１５の先端部が、リブ１４間の緑化用空間１６から離脱した状態を示している。このように、蔓系植物１５の種類によっては、蔓系植物１５の先端部が、リブ１４間の緑化用空間１６から離脱することがあり、その場合は、図１３（ａ）、（ｂ）、（ｃ）に示すように、１又は２以上の離脱防止具２２の離脱防止ワイヤ２３を水平に配置した状態で、この離脱防止具２２を緑化用板状部材３６に取り付けることができる。
【０１２７】
この離脱防止具２２によって、蔓系植物１５の先端部を含む全体が、リブ１４間の緑化用空間１６から離脱することを防止することができ、これによって、緑化用板状部材３６に植栽された蔓系植物１５の見栄えをよくすることができる。
【０１２８】
ただし、上記実施形態では、まず、緑化部材１７又は植物１５を緑化用板状部材３６等の緑化用空間１６に装着し、しかる後に、この緑化部材１７又は植物１５が装着された緑化用板状部材３６等を使用して建物、土木構造物、又は塀の壁部を形成したが、これに代えて、まず、緑化用板状部材３６等を使用して建物、土木構造物、又は塀の壁部を形成し、しかる後に、緑化部材１７又は植物１５を緑化用板状部材３６等の緑化用空間１６に装着してもよい。
【０１２９】
そして、緑化部材１７には、成長した植物１５を植え付けてもよいし、苗又は種子を植え付けてもよい。また、人工の植物１５を取り付けてもよい。
【０１３０】
また、上記各実施形態では、本考案を建物、土木構造物、又は塀の壁部に適用した例を挙げたが、屋根、外装材、又は内装材に適用することができる。
【産業上の利用可能性】
【０１３１】
以上のように、本考案に係る緑化用板状部材及び壁面等の緑化構造は、構造が簡単であって、工事期間の短縮、施工性の向上、及び施工コストの削減を図ることができる優れた効果を有し、このような緑化用板状部材及び壁面等の緑化構造に適用するのに適している。
【符号の説明】
【０１３２】
１１  緑化用板状部材
１２  壁面等の緑化構造
１３  板状体
１４  リブ
１４ａ  上向き保持面
１４ｂ  下向き保持面
１５  植物
１６  緑化用空間
１７  緑化部材
１８  滑り止め凸部
１９  中空部
２０  凸部
２１  凹部
２２  離脱防止具
２３  離脱防止ワイヤ
２４  留め金具
２５  屈曲部材
２６  留めボルト
２７  引っ掛け凹部
２９  緑化用板状部材
３０  上向き突起部
３１  下向き突起部
３２  溝部
３３  切欠き部
３４  水
３６  緑化用板状部材
３７  傾斜面
３９  壁面等の緑化構造
４０  灌水用パイプ
４１  鉄骨柱
４２  外面
４３  ブラケット
４４  アングル材
４４ａ、４４ｂ  アングルの片部
４５  Ｚクリップ
４６  プレートナット
４７  背面
４９  ボルト
５０  重量受け部材
５１  パッキン
５３  壁面等の緑化構造
５４  ワイヤ
【図１】
0003199042.tif 000003
【図２】
0003199042.tif 000004
【図３】
0003199042.tif 000005
【図４】
0003199042.tif 000006
【図５】
0003199042.tif 000007
【図６】
0003199042.tif 000008
【図７】
0003199042.tif 000009
【図８】
0003199042.tif 000010
【図９】
0003199042.tif 000011
【図１０】
0003199042.tif 000012
【図１１】
0003199042.tif 000013
【図１２】
0003199042.tif 000014
【図１３】
0003199042.tif 000015